(57)【特許請求の範囲】
【請求項１】
複数のＬＥＤ発光モジュールと、
前記ＬＥＤ発光モジュール同士を結合させる結合ブロックと、を備え、
前記ＬＥＤ発光モジュールは、
回路基板の前面側にマトリクス状に配置された多数のＬＥＤ素子と、
前記回路基板の後面側に配置され、電源入力及びデータ信号入力を行うための入力コネクタと、
前記回路基板の後面側に配置され、電源出力及びデータ信号出力を行うための出力コネクタと、
前記入力コネクタから入力した電源及びデータ信号に基づいて前記ＬＥＤ素子を駆動させる駆動部と、
前記回路基板を後面側から覆いつつ、前記入力コネクタ及び前記出力コネクタをコネクタ開口部を介して後方に露出させる発光モジュールカバーと、を有し、
前記結合ブロックは、
前記コネクタ開口部を塞ぎつつ、隣接する前記ＬＥＤ発光モジュール同士を結合させる結合ブロック本体と、
隣接する一方の前記ＬＥＤ発光モジュールの前記出力コネクタに接続される第１接続コネクタと、
隣接する他方の前記ＬＥＤ発光モジュールの前記入力コネクタに接続される第２接続コネクタと、
前記結合ブロック本体の内部に配置され、前記第１接続コネクタと前記第２接続コネクタとを電気的に連結するコネクタ連結部と、を有することを特徴とする屋外用組立式電光表示システム。
【請求項２】
前記発光モジュールカバーと前記結合ブロック本体との間に挟装される防水用ゴムパッキンを備えることを特徴とする請求項１に記載の屋外用組立式電光表示システム。
【請求項３】
前記発光モジュールカバーの後面側には、前記結合ブロックが嵌合される結合凹部が形成されることを特徴とする請求項１又は２に記載の屋外用組立式電光表示システム。
【請求項４】
前記結合凹部は、前記結合ブロックの嵌合方向に沿う案内突起を有し、
前記結合ブロックは、前記案内突起に対応する案内溝を有することを特徴とする請求項３に記載の屋外用組立式電光表示システム。
【請求項５】
前記結合ブロックは、後面視で菱型、又は菱型の角部を切り欠いた８角形であり、
前記発光モジュールカバーの後面側には、前記結合ブロックの左右分割形状又は上下分割形状に対応する４つの前記結合凹部が左右及び上下に並べて形成されることを特徴とする請求項３又は４に記載の屋外用組立式電光表示システム。
【請求項６】
前記ＬＥＤ発光モジュールの内部に配置され、前記入力コネクタを介して入力された交流電源を直流電源に変換して前記駆動部に供給する直流電源供給部を備えることを特徴とする請求項１〜５のいずれか一項に記載の屋外用組立式電光表示システム。
【発明の詳細な説明】
【技術分野】
【０００１】
本発明は、複数のＬＥＤ発光モジュールを結合して構成される屋外用組立式電光表示システムに関する。
【背景技術】
【０００２】
複数のＬＥＤ発光モジュールを結合して構成される屋外用電光表示装置が知られている（例えば、特許文献１参照）。屋外用電光表示装置は、図１０の設置例に示すように、建物の外壁などに露出状態で設置され、文字や画像からなる多様な情報を表示する看板や広告手段として広く普及している。【０００３】
このような屋外用電光表示装置１００は、多数のＬＥＤ素子がマトリクス状に配置された複数のＬＥＤ発光モジュール１０１を結合して構成される発光表示パネル１０２と、各ＬＥＤ発光モジュール１０１に設けられるＬＥＤ駆動部１０３と、屋外用電光表示装置１００の全体的な制御及び駆動を行うための制御モジュール１０４と、電源供給を行うための電源モジュール１０５と、これらを収容するケース１０６と、を備えて構成されている。【０００４】
各ＬＥＤ発光モジュール１０１のＬＥＤ駆動部１０３は、ケーブル１０７を介して直列状に接続されており、その電気的な接続部分は、ケース１０６で覆うことにより防水性が確保される。
【先行技術文献】
【特許文献】
【０００５】
【特許文献１】韓国特許２０−２００３−００４００６３号公報
【発明の概要】
【発明が解決しようとする課題】
【０００６】
しかしながら、従来の屋外用電光表示装置１００は、発光表示パネル１０２の画面サイズに合わせてケース１０６を製作し、該ケース１０６に複数のＬＥＤ発光モジュール１０１を組み込むことにより製造されているので、製造コストが嵩むだけでなく、全体重量が重くなり、設置工事も大掛かりになるという問題があった。【０００７】
また、従来の屋外用電光表示装置１００は、図１０の（Ａ）に示すように、看板２００とは別途設置され、独立的に運用される可変表示ディスプレイであり、表示内容が固定された看板２００を補助する役割を果たしているが、看板２００とは別途運用されることで、いくつかの問題が発生している。例えば、看板２００とともに屋外用電光表示装置１００を別途設置する場合、設置コストや維持コストが嵩むという問題がある。
【課題を解決するための手段】
【０００８】
本発明は、上記の如き実情に鑑みこれらの課題を解決することを目的として創作されたものであって、請求項１の発明は、複数のＬＥＤ発光モジュールと、前記ＬＥＤ発光モジュール同士を結合させる結合ブロックと、を備え、前記ＬＥＤ発光モジュールは、回路基板の前面側にマトリクス状に配置された多数のＬＥＤ素子と、前記回路基板の後面側に配置され、電源入力及びデータ信号入力を行うための入力コネクタと、前記回路基板の後面側に配置され、電源出力及びデータ信号出力を行うための出力コネクタと、前記入力コネクタから入力した電源及びデータ信号に基づいて前記ＬＥＤ素子を駆動させる駆動部と、前記回路基板を後面側から覆いつつ、前記入力コネクタ及び前記出力コネクタをコネクタ開口部を介して後方に露出させる発光モジュールカバーと、を有し、前記結合ブロックは、前記コネクタ開口部を塞ぎつつ、隣接する前記ＬＥＤ発光モジュール同士を結合させる結合ブロック本体と、隣接する一方の前記ＬＥＤ発光モジュールの前記出力コネクタに接続される第１接続コネクタと、隣接する他方の前記ＬＥＤ発光モジュールの前記入力コネクタに接続される第２接続コネクタと、前記結合ブロック本体の内部に配置され、前記第１接続コネクタと前記第２接続コネクタとを電気的に連結するコネクタ連結部と、を有することを特徴とする。
請求項２の発明は、請求項１に記載の屋外用組立式電光表示システムであって、前記発光モジュールカバーと前記結合ブロック本体との間に挟装される防水用ゴムパッキンを備えることを特徴とする。
請求項３の発明は、請求項１又は２に記載の屋外用組立式電光表示システムであって、前記発光モジュールカバーの後面側には、前記結合ブロックが嵌合される結合凹部が形成されることを特徴とする。
請求項４の発明は、請求項３に記載の屋外用組立式電光表示システムであって、前記結合凹部は、前記結合ブロックの嵌合方向に沿う案内突起を有し、前記結合ブロックは、前記案内突起に対応する案内溝を有することを特徴とする。
請求項５の発明は、請求項３又は４に記載の屋外用組立式電光表示システムであって、前記結合ブロックは、後面視で菱型、又は菱型の角部を切り欠いた８角形であり、前記発光モジュールカバーの後面側には、前記結合ブロックの左右分割形状又は上下分割形状に対応する４つの前記結合凹部が左右及び上下に並べて形成されることを特徴とする。
請求項６の発明は、請求項１〜５のいずれか一項に記載の屋外用組立式電光表示システムであって、前記ＬＥＤ発光モジュールの内部に配置され、前記入力コネクタを介して入力された交流電源を直流電源に変換して前記駆動部に供給する直流電源供給部を備えることを特徴とする。
【発明の効果】
【０００９】
請求項１の発明によれば、結合ブロックは、ＬＥＤ発光モジュール同士を結合させるだけでなく、発光モジュールカバーのコネクタ開口部を塞ぎつつ、隣接するＬＥＤ発光モジュールの出力コネクタと入力コネクタとを電気的に接続させるので、結合させた複数のＬＥＤ発光モジュールを従来のようにケースに収容しなくても、ＬＥＤ発光モジュール同士の電気的な接続部分の防水性を確保することができる。その結果、結合させた複数のＬＥＤ発光モジュールを収容する従来のケースを不要にし、部品点数及び製造コストの削減が図れるだけでなく、全体重量を軽くして設置工事も簡略化することが可能になる。
請求項２の発明によれば、発光モジュールカバーと結合ブロック本体との間に挟装される防水用ゴムパッキンを備えるので、より確実な防水性能が得られる。
請求項３の発明によれば、発光モジュールカバーの後面側には、結合ブロックが嵌合される結合凹部が形成されるので、隣接するＬＥＤ発光モジュール同士を結合凹部に嵌合する結合ブロックによって位置決め状態で結合させることができる。
請求項４の発明によれば、結合凹部は、結合ブロックの嵌合方向に沿う案内突起を有し、結合ブロックは、案内突起に対応する案内溝を有するので、結合凹部に対する結合ブロックの嵌合作業が容易になるだけでなく、嵌合後におけるＬＥＤ発光モジュールと結合ブロックとの位置ずれも規制することができる。
請求項５の発明によれば、結合ブロックは、後面視で菱型、又は菱型の角部を切り欠いた８角形であり、発光モジュールカバーの後面側には、結合ブロックの左右分割形状又は上下分割形状に対応する４つの結合凹部が左右及び上下に並べて形成されるので、複数のＬＥＤ発光モジュールを左右方向及び上下方向に並べて任意サイズの発光表示画面を構成することができるだけでなく、ＬＥＤ発光モジュールと結合ブロックとの重なり合う面積を可及的に大きくしてＬＥＤ発光モジュール同士の結合強度を高めることができる。
請求項６の発明によれば、ＬＥＤ発光モジュールの内部に配置され、入力コネクタを介して入力された交流電源を直流電源に変換して駆動部に供給する直流電源供給部を備えるので、ＬＥＤ発光モジュールの外部に別途電源モジュールを設けることなく、各ＬＥＤ発光モジュールを発光駆動させることができる。
【図面の簡単な説明】
【００１０】
【図１】本発明の第１実施形態に係る屋外用組立式電光表示システムの全体構成を示す図であり、（Ａ）は屋外用組立式電光表示システムの全体正面図、（Ｂ）は発光表示パネルの背面図である。
【図２】本発明の第１実施形態に係る屋外用組立式電光表示システムのＬＥＤ発光モジュールを示す図であり、（Ａ）はＬＥＤ発光モジュールを正面側から見た斜視図、（Ｂ）はＬＥＤ発光モジュールを正面側から見た分解斜視図、（Ｃ）はＬＥＤ発光モジュールを背面側から見た斜視図、（Ｄ）はＬＥＤ発光モジュールを背面側から見た分解斜視図である。
【図３】本発明の第１実施形態に係る屋外用組立式電光表示システムのＬＥＤ発光モジュールの結合構造を示す分解斜視図である。
【図４】本発明の第１実施形態に係る屋外用組立式電光表示システムのＬＥＤ発光モジュールの結合構造を示す要部拡大斜視図である。
【図５】本発明の第１実施形態に係る屋外用組立式電光表示システムの設置例を示す斜視図である。
【図６】本発明の第２実施形態に係る屋外用組立式電光表示システムの発光表示パネルを示す図であり、（Ａ）は発光表示パネルを正面側から見た斜視図、（Ｂ）は発光表示パネルを背面側から見た斜視図である。
【図７】本発明の第２実施形態に係る屋外用組立式電光表示システムのＬＥＤ発光モジュール及び結合ブロックを示す図であり、（Ａ）はＬＥＤ発光モジュール及び結合ブロックを正面側から見た分解斜視図、（Ｂ）はＬＥＤ発光モジュール及び結合ブロックを背面側から見た分解斜視図である。
【図８】本発明の第３実施形態に係る屋外用組立式電光表示システムのＬＥＤ発光モジュール及び結合ブロックを示す図であり、（Ａ）はＬＥＤ発光モジュール及び結合ブロックを正面側から見た斜視図、（Ｂ）はＬＥＤ発光モジュール及び結合ブロックを背面側から見た斜視図である。
【図９】本発明の第３実施形態に係る屋外用組立式電光表示システムの結合ブロックを示す図であり、（Ａ）は結合ブロックを正面側から見た斜視図、（Ｂ）は結合ブロックを背面側から見た斜視図である。
【図１０】従来例に係る屋外用電光表示装置を示す図であり、（Ａ）は屋外用電光表示装置の設置例を示す斜視図、（Ｂ）は屋外用電光表示装置を背面側から見た斜視図である。
【発明を実施するための形態】
【００１１】
以下、本発明の実施の形態について、図面に基づいて説明する。
【００１２】
図１において、１は屋外用組立式電光表示システムであって、該屋外用組立式電光表示システム１は、複数のＬＥＤ発光モジュール１０を結合ブロック２０で結合させて組み立てられた発光表示パネル２と、発光表示パネル２に表示データを提供する制御モジュール３０と、発光表示パネル２に直流電源を供給する電源モジュール４０と、を備えて構成されている。
【００１３】
電源モジュール４０は、外部から入力した交流電源を直流電源に変換して制御モジュール３０及び発光表示パネル２に供給する。
【００１４】
制御モジュール３０は、データ処理のためのプロセッサと、データ保存をするためのメモリとを備えており、予め定められた運用スケジュールに従って発光表示パネル２に表示データを出力することにより、発光表示パネル２において文字や画像からなる広告などの情報を発光表示させる。
【００１５】
また、本実施形態の制御モジュール３０は、赤外線信号を受信する赤外線信号受信部３２を備えており、該赤外線信号受信部３２に赤外線制御信号を出力する赤外線リモコン３４を通じて、各種の設定変更や、表示コンテンツの入力、編集などを行うことができる。したがって、赤外線リモコン３４は、カーソルキー、数字キー、文字入力キ−などを備えて構成されている。
【００１６】
さらに、本実施形態の制御モジュール３０は、無線又は有線によって通信可能に接続されるパーソナルコンピュータ、スマートフォンなどのコンピュータデバイスを通じて、ファームウェアのアップデート、表示コンテンツの編集などを行うことができる。
【００１７】
本実施形態の屋外用組立式発光表示システム１では、制御モジュール３０及び電源モジュール４０を発光表示パネル２から分離させている。これにより、多数のＬＥＤ発光モジュール１０を相互に結合して構成される発光表示パネル２が薄くて軽いものとなり、その設置工事を簡略化することが可能になる。
【００１８】
つぎに、本発明の第１実施形態に係る屋外用組立式発光表示システム１の発光表示パネル２を構成するＬＥＤ発光モジュール１０について、図２を参照して詳細に説明する。
【００１９】
図２に示すように、ＬＥＤ発光モジュール１０は、前面側に多数のＬＥＤ素子１１がマトリクス状に配置された第１回路基板１２と、第１回路基板１２の後方に重合状に配置される第２回路基板１３と、第２回路基板１３の後面側に配置され、電源入力及びデータ信号入力を行うための入力コネクタ１４と、第２回路基板１３の後面側に配置され、電源出力及びデータ信号出力を行うための出力コネクタ１５と、第２回路基板１３に設けられ、入力コネクタ１４から入力した電源及びデータ信号に基づいてＬＥＤ素子１１を駆動させる駆動部１６と、第１回路基板１２及び第２回路基板１３を後面側から覆いつつ、入力コネクタ１４及び出力コネクタ１５をコネクタ開口部１７ａを介して後方に露出させる発光モジュールカバー１７とを備えている。
【００２０】
ＬＥＤ発光モジュール１０の一つの表示ピクセルは、１又は複数のＬＥＤ素子１１で構成される。例えば、一つの表示ピクセルを１色のＬＥＤ素子１１で構成した場合は、単色表示のＬＥＤ発光モジュール１０となり、一つの表示ピクセルを２色のＬＥＤ素子１１で構成した場合は、２色表示又は３色表示（２色＋混合色）のＬＥＤ発光モジュール１０となり、一つの表示ピクセルを３色（ＲＢＧ）のＬＥＤ素子１１で構成した場合は、カラー表示のＬＥＤ発光モジュール１０となる。
【００２１】
発光モジュールカバー１７は、前面が開口した箱形状の樹脂製カバーであり、前面の開口から組み込まれる第１回路基板１２及び第２回路基板１３を収容する内部空間を有している。発光モジュールカバー１７の後面側には、結合ブロック２０を嵌合可能な複数の結合凹部１７ｂが形成されている。具体的には、発光モジュールカバー１７の後面における左右両端部及び上下両端部に形成された４つの結合凹部１７ｂを有しており、各結合凹部１７ｂの形状は、結合ブロック２０の左右分割形状又は上下分割形状に対応している。そして、各結合凹部１７ｂの所定の位置にコネクタ開口部１７ａが形成される。
【００２２】
このようなＬＥＤ発光モジュール１０の望ましい形態は、図２に示すように、第１回路基板１２は、１６×１６＝２５６ピクセルのＬＥＤ素子１１が配置される正方形とし、第２回路基板１３は、第１回路基板１２と同一サイズの正方形とし、発光モジュールカバー１７は、第１回路基板１２及び第２回路基板１３を可及的に公差なく挿入可能な前面開口を有するものである。
【００２３】
ＬＥＤ発光モジュール１０の前面側においては、不図示の防水保護層によって防水性が確保される。例えば、防水保護層は、発光モジュールカバー１７の前面開口から第１回路基板１２及び第２回路基板１３を組み込んだ後、第１回路基板１２の前面に所定の厚みで塗布され、第１回路基板１２とＬＥＤ素子１１との電気的な接続部を保護するとともに、第１回路基板１２と発光モジュールカバー１７との間の隙間を埋めることにより、ＬＥＤ発光モジュール１０の前面側の防水性を確保する。このような防水保護層は、当初は塗布可能な流動性を有し、塗布後に硬化してゴム質弾性状となるウレタンなどの合成樹脂素材を用いて形成することができる。
【００２４】
つぎに、ＬＥＤ発光モジュール１０同士を結合させる結合ブロック２０について、図３及び図４を参照して詳細に説明する。
【００２５】
結合ブロック２０は、コネクタ開口部１７ａを塞ぎつつ、隣接するＬＥＤ発光モジュール１０同士を結合させる結合ブロック本体２１と、隣接する一方のＬＥＤ発光モジュール１０の出力コネクタ１５に接続される第１接続コネクタ２２と、隣接する他方のＬＥＤ発光モジュール１０の入力コネクタ１４に接続される第２接続コネクタ２３と、結合ブロック本体２１の内部に配置され、第１接続コネクタ２２と第２接続コネクタ２３とを電気的に連結するコネクタ連結部２４とを備えている。
【００２６】
結合ブロック本体２１は、第１接続コネクタ２２、第２接続コネクタ２３及びコネクタ連結部２４の収容空間２１ａを有する前カバー２１ｂと、収容空間２１ａを覆う後カバー２１ｃとを有しており、隣接するＬＥＤ発光モジュール１０を結合する際には、隣接する両ＬＥＤ発光モジュール１０の結合凹部１７ｂに対して跨るように嵌合される。
【００２７】
第１接続コネクタ２２及び第２接続コネクタ２３は、結合ブロック本体２１の前面側に形成されるコネクタ開口部２１ｄを介して前方に露出しており、ＬＥＤ発光モジュール１０の結合凹部１７ｂに対する結合ブロック２０の嵌合に応じて自動的にＬＥＤ発光モジュール１０側の入力コネクタ１４及び出力コネクタ１５に接続される。
【００２８】
このように構成される結合ブロック２０は、ＬＥＤ発光モジュール１０同士を結合させるだけでなく、発光モジュールカバー１７のコネクタ開口部１７ａを塞ぎつつ、隣接するＬＥＤ発光モジュール１０の出力コネクタ１５と入力コネクタ１４とを電気的に接続させるので、結合させた複数のＬＥＤ発光モジュール１０を従来のようにケースに収容しなくても、ＬＥＤ発光モジュール１０同士の電気的な接続部分の防水性を確保することが可能になる。
【００２９】
つぎに、ＬＥＤ発光モジュール１０同士の結合に際して好ましい構成について、図３及び図４を参照して説明する。
【００３０】
図４に示すように、結合凹部１７ｂは、結合ブロック２０の嵌合方向に沿う案内突起１７ｃを有し、結合ブロック２０は、案内突起１７ｃに対応する案内溝２１ｅを有することが好ましい。その理由は、結合凹部１７ｂに対する結合ブロック２０の嵌合作業が容易になるだけでなく、嵌合後におけるＬＥＤ発光モジュール１０と結合ブロック２０との位置ずれも規制することができるからである。
【００３１】
案内突起１７ｃは、様々な形状とすることが可能であり、案内溝２１ｅは、案内突起１７ｃに対応する形状とすればよい。例えば、本実施形態の案内突起１７ｃは、結合させるＬＥＤ発光モジュール１０同士を並べたとき、隣接するＬＥＤ発光モジュール１０と当接状態で並列するように配置されており、この状態で両ＬＥＤ発光モジュール１０の結合凹部１７ｂに結合ブロック２０を嵌合させると、結合ブロック２０の案内溝２１ｅが両ＬＥＤ発光モジュール１０の案内突起１７ｃに対し、両者を引き寄せるように係合する。これにより、隣接するＬＥＤ発光モジュール１０間に多少の隙間や位置ずれがあったとしても、これを結合ブロック２０の嵌合過程で矯正することが可能になる。
【００３２】
ＬＥＤ発光モジュール１０の結合凹部１７ｂに結合ブロック２０を嵌合させる際には、図３に示すように、ＬＥＤ発光モジュール１０と結合ブロック２０との間に防水用ゴムパッキン２５を設置することが好ましい。このようにすると、発光モジュールカバー１７と結合ブロック本体２１との間に挟装される防水用ゴムパッキン２５により、コネクタ開口部１７ａ、２１ｄからの水の侵入を確実に防止することができる。
【００３３】
ＬＥＤ発光モジュール１０の結合凹部１７ｂに結合ブロック２０を嵌合させた後は、図３及び図４に示すように、結合ブロック２０を貫通する締結ネジ２６を介してＬＥＤ発光モジュール１０と結合ブロック２０とを締結固定させることが好ましい。このようにすると、ＬＥＤ発光モジュール１０の結合強度が高められるだけでなく、コネクタ開口部１７ａ、２１ｄを確実に塞いで防水性能を高めることができる。
【００３４】
叙述の如く構成された本実施形態によれば、結合ブロック２０が、ＬＥＤ発光モジュール１０同士を結合させるだけでなく、発光モジュールカバー１７のコネクタ開口部１７ａを塞ぎつつ、隣接するＬＥＤ発光モジュール１０の出力コネクタ１５と入力コネクタ１４とを電気的に接続させるので、結合させた複数のＬＥＤ発光モジュール１０を従来のようにケースに収容しなくても、ＬＥＤ発光モジュール１０同士の電気的な接続部分の防水性を確保することができる。その結果、結合させた複数のＬＥＤ発光モジュール１０を収容する従来のケースを不要にし、部品点数及び製造コストの削減が図れるだけでなく、全体重量を軽くして設置工事も簡略化することが可能になる。
【００３５】
例えば、図５に示すように、従来設置されている看板２００においても本発明の屋外用組立式電光表示システム１を適用することができる。具体的には、看板２００の外部フレーム２０１に収容されていた従来の広告板や内部照明を除去した後、従来の外部フレーム２０１をそのまま利用して複数のＬＥＤ発光モジュール１０及び結合ブロック２０からなる発光表示パネル２を設置すれば、本発明の屋外用組立式電光表示システム１を看板２００に適用することが可能になる。
【００３６】
［第２実施形態］
つぎに、本発明の第２実施形態に係る屋外用組立式電光表示システム１Ｂについて、図６及び図７を参照して説明する。ただし、前記実施形態と共通する構成については、前記実施形態と同じ符号を用いることにより、前記実施形態の説明を援用する。
【００３７】
図６及び図７に示すように、第２実施形態の屋外用組立式電光表示システム１Ｂは、ＬＥＤ発光モジュール１０Ｂの内部に交流電源を直流電源に変換する直流電源供給部１８が設けられている点と、第１回路基板１２と第２回路基板１３とが一体化されている点と、結合ブロック２０Ｂが８角形である点が前記実施形態と相違している。
【００３８】
つまり、第２実施形態の屋外用組立式電光表示システム１Ｂは、ＬＥＤ発光モジュール１０Ｂの内部に直流電源供給部１８を設けることにより、第１実施形態の電源モジュール４０を不要にしている。また、第１回路基板１２と第２回路基板１３との一体化により、部品点数及び製造コストの削減を可能にしている。なお、結合ブロック２０Ｂの形状については第３実施形態の説明で詳述する。
【００３９】
［第３実施形態］
つぎに、本発明の第３実施形態に係る屋外用組立式電光表示システム１Ｃについて、図８及び図９を参照して説明する。ただし、前記実施形態と共通する構成については、前記実施形態と同じ符号を用いることにより、前記実施形態の説明を援用する。
【００４０】
図８及び図９に示すように、第３実施形態の屋外用組立式電光表示システム１Ｃは、結合ブロック２０Ｃのサイズが最大化されている点と、ＬＥＤ発光モジュール１０Ｃの前面部に庇カバー１９を備える点が前記実施形態と相違している。
【００４１】
第３実施形態の結合ブロック２０Ｃは、後面視で菱型の角部を切り欠いた８角形であり、発光モジュールカバー１７Ｃの後面側には、結合ブロック２０Ｃの左右分割形状又は上下分割形状に対応する４つの結合凹部１７ｂが左右及び上下に並べて形成されている。これにより、複数のＬＥＤ発光モジュール１０を左右方向及び上下方向に並べて任意サイズの発光表示画面を構成することができるだけでなく、ＬＥＤ発光モジュール１０と結合ブロック２０との重なり合う面積を可及的に大きくしてＬＥＤ発光モジュール１０同士の結合強度を高めることができる。なお、結合ブロック２０Ｃは、後面視で菱型としてもよい。
【００４２】
庇カバー１９は、ＬＥＤ素子１１の上方から前方に延出する多数の庇部１９ａを有しており、ＬＥＤ素子１１に対する直射日光の照射を阻止している。これにより、ＬＥＤ素子１１から発光される光の視認性が直射日光によって低下することが抑制される。
【００４３】
以上、本発明を望ましいの実施例に基づいて説明したが、本発明の技術的思想はこれに限定されずに、特許請求の範囲内での変形や変更が可能であることは言うまでもない。
【符号の説明】
【００４４】
１  屋外用組立式発光表示システム
２  発光表示パネル
１０  ＬＥＤ発光モジュール
１１  ＬＥＤ素子
１２  第１回路基板
１３  第２回路基板
１４  入力コネクタ
１５  出力コネクタ
１６  駆動部
１７  発光モジュールカバー
１７ａ  コネクタ開口部
１７ｂ  結合凹部
１７ｃ  案内突起
１８  直流電源供給部
２０  結合ブロック
２１  結合ブロック本体
２２  第１接続コネクタ
２３  第２接続コネクタ
２４  コネクタ連結部
２５  防水用ゴムパッキン
３０  制御モジュール
４０  電源モジュール
【要約】
課題は、結合させた複数のＬＥＤ発光モジュールを収容する従来のケースを不要にし、部品点数及び製造コストの削減が図れるだけでなく、全体重量を軽くして設置工事も簡略化することである。
解決手段は、複数のＬＥＤ発光モジュール１０と、ＬＥＤ発光モジュール１０同士を結合させる結合ブロック２０と、を備える屋外用組立式電光表示システム１であって、結合ブロック２０は、ＬＥＤ発光モジュール１０同士を結合させるだけでなく、発光モジュールカバー１７のコネクタ開口部１７ａを塞ぎつつ、隣接するＬＥＤ発光モジュール１０の出力コネクタ１５と入力コネクタ１４とを電気的に接続させることである。【図１】
0005981681.tif 000002
【図２】
0005981681.tif 000003
【図３】
0005981681.tif 000004
【図４】
0005981681.tif 000005
【図５】
0005981681.tif 000006
【図６】
0005981681.tif 000007
【図７】
0005981681.tif 000008
【図８】
0005981681.tif 000009
【図９】
0005981681.tif 000010
【図１０】
0005981681.tif 000011